(57)【特許請求の範囲】
【請求項１】
外形をなすキャビネットと、
前記キャビネット内に収容される乾燥ドラムと、
凝縮水が発生する凝縮器と、
前記凝縮器から発生された凝縮水が貯蔵されるサンプと、
凝縮水が貯蔵される引出しと、
前記引出しが収容されるディスペンサーと、
フロントカバーの背面に一体形成され、前記フロントカバーと引出し体とを結合させる結合リブを含み、
前記引出しは前面部をなすフロントカバーと、
前記フロントカバーの後側に装着され、前記引出しの後面部をなす引出し体とを含み、
前記引出しの外部に溢れる凝縮水が前記ディスペンサーの前方に流れるのを防止するために、引出し体の外周面に所定深さで陥没される引出し溝が形成され、
前記引出し溝は前記引出し体の側面に形成される側面引出し溝と、
前記引出し体の底面形成される底面引出し溝とを含むことを特徴とする、
乾燥機。
【請求項２】
前記引出し体の外周面に突設され、前記引出しが前記ディスペンサー内に挿入される際、前記引出しを押下する押下突起を少なくとも一つ以上含むことを特徴とする、請求項１に記載の乾燥機。
【請求項３】
前記押下突起は、前記引出し体の前段から後段の方に及び/または前記引出し体の後段から前段の方に所定角度で斜めに突出されることを特徴とする、請求項２に記載の乾燥機。
【請求項４】
前記結合リブは、前記引出し体をフロントカバーと緊密に結合させるために、前記フロントカバーの背面から延長され、前記引出し体の断面とほぼ同じ形状で前記引出し体の外周面に囲まれることを特徴とする、請求項１に記載の乾燥機。
【請求項５】
前記結合リブの一部が所定高さで曲げられ、前記引出しが前記ディスペンサー内に挿入後、前記ディスペンサーから取り外すのを防止するためのロッキングフックを少なくとも一つ以上含むことを特徴とする、請求項１に記載の乾燥機。
【請求項６】
前記ロッキングフックが弾性力を持つように、前記フックの両側面に弾性溝が形成されることを特徴とする、請求項５に記載の乾燥機。
【請求項７】
前記引出し体の外周面に突設される少なくとも一つ以上の結合突起と、
前記フロントカバーと前記引出し体を緊密に結合させるために、前記結合リブに形成され、前記結合突起が挿入される挿入溝とを含むことを特徴とする、請求項１に記載の乾燥機。
【請求項８】
前記フロントカバーの前面部に所定深さで陥没形成されるグリップをさらに含むことを特徴とする、請求項１に記載の乾燥機。
【請求項９】
前記引出しの底面は前記乾燥ドラムの外周曲面と同じ曲率で曲げられることを特徴とする、請求項１に記載の乾燥機。
【請求項１０】
前記引出しは、溢れる凝縮水を集めるために外周面に所定深さで陥没される溢れ制御部を更に含むことを特徴とする、請求項１に記載の乾燥機。
【請求項１１】
前記溢れ制御部と前記サンプを連結する凝縮水配管をさらに含むことを特徴とする、請求項１０に記載の乾燥機。
【請求項１２】
前記溢れ制御部は、
前記サンプから移動して落下する凝縮水を集める凝縮水落下溝と、
前記凝縮水落下溝の側方に所定深さで形成され、前記凝縮水落下溝から溢れた凝縮水が溜まる漏水貯蔵部とを含むことを特徴とする、請求項１０に記載の乾燥機。
【請求項１３】
前記溢れ制御部は、前記引出しから溢れた凝縮水を前記ディスペンサーの底面に移動するようにするサイフォン発生部と、
前記サイフォン発生部の底面に所定長さで形成され、前記溢れた凝縮水を前記ディスペンサーの底面に溜まるようにするバイパスチューブとを含むことを特徴とする、請求項１０に記載の乾燥機。
【請求項１４】
前記ディスペンサーの底面は、前方から後方に行くほど下側に斜めに形成されることを特徴とする、請求項１に記載の乾燥機。
【請求項１５】
前記ディスペンサーの底面には、前記引出しが完全に挿入されたか否かを使用者が感知できるようにするための引出し挿入感知突起が形成されることを特徴とする、請求項１に記載の乾燥機。
【請求項１６】
前記引出しがスムーズに挿入されるように、前記引出し挿入感知突起の前面が所定角度で斜めに形成されることを特徴とする、請求項１５に記載の乾燥機。
【請求項１７】
前記引出し挿入感知突起の上段は、前記ディスペンサーの底面よりも若干高く形成されることを特徴とする、請求項１５に記載の乾燥機。
【請求項１８】
前記ディスペンサーは、
底面に所定深さで形成され、溢れる凝縮水を集めるディスペンサー陥没部と、
前記ディスペンサー陥没部の底面に所定高さで突設され、前記ディスペンサーの底面よりも所定長さ分高く形成され、前記引出しの端部を若干持ち上げる凹凸部とを含むことを特徴とする、請求項１に記載の乾燥機。
【請求項１９】
前記ディスペンサー陥没部に貯蔵された凝縮水が再び前記サンプに移動するようにするために、前記ディスペンサー陥没部の底面には凝縮水排出孔が形成され、前記凝縮水排出孔と前記サンプを連結する凝縮水配管をさらに含むことを特徴とする、請求項１８に記載の乾燥機。
【請求項２０】
前記ディスペンサーの内壁には離隔リブが延長されることを特徴とする、請求項１に記載の乾燥機。
【請求項２１】
前記離隔リブは、前記引出しから溢れる凝縮水が前記引出し壁面に沿って前方に流れるのを防止するために、前記ディスペンサーの前方から後方に長く形成されることを特徴とする、請求項２０に記載の乾燥機。
【請求項２２】
前記引出しが前記ディスペンサー内にスムーズに挿入されるように、前記離隔リブの前段部は曲げられて形成されることを特徴とする、請求項２０に記載の乾燥機。
【請求項２３】
前記ディスペンサーの内周面には少なくとも一つ以上の離隔リブが形成されることを特徴とする、請求項２０に記載の乾燥機。
【請求項２４】
前記引出しの外周面と前記ディスペンサーの内周面が接触されて、前記引出しの外部に溢れる凝縮水が前記接触面に沿ってディスペンサー前方に流れるのを防止するために、前記離隔リブは前記ディスペンサーの内側面に所定高さで突出され、一定間隔をおいて前後方に少なくとも一つ以上配列されることを特徴とする、請求項２０に記載の乾燥機。
【発明の詳細な説明】
【技術分野】
【０００１】
本発明は、乾燥機の乾燥ドラムを通過した高温多湿な循環空気が、凝縮器を通過した際に発生する凝縮水を貯蔵する乾燥機に関する。
【背景技術】
【０００２】
一般的に、ドラム式乾燥機は、電気ヒータやガス燃焼装置などにより発生する熱風をドラム内に送風して、乾燥対象物の残存水分を蒸発させることにより、乾燥対象物を乾燥させる家電機器である。
前記ドラム式乾燥機は、その方式により凝縮式と排気式に大別される。
凝縮式ドラム乾燥機は、乾燥ドラム内に流入した空気が乾燥機の外に排出されず、乾燥機内を循環しながら乾燥が行われる方式である。そして、排気式ドラム乾燥機は、乾燥ドラム内に流入した空気が乾燥対象物から水分を吸収した後、乾燥機の外に排出する方式である。
【０００３】
前記排気式ドラム乾燥機は、乾燥ドラム内に流入する空気を加熱するヒータの種類に応じてガス式と電気式に更に分けられる。ガス式乾燥器は、前記乾燥ドラム内に流入する空気を加熱するためのヒータが炉(ｆｕｒｎａｃｅ)、点火器及びフレームセンサのような構成要素を備え、前記炉内でガスを燃焼する。そして、燃焼するガスから発生する熱によって乾燥ドラム内に流入する空気が加熱される。また、電気式乾燥器は、前記乾燥ドラム内に流入する空気を加熱するためのヒータが、多数回巻き取った熱線からなり、電源を入れれば、前記ヒータから熱が発生し、前記ヒータから発生する熱は前記ヒータを通過する空気に伝達して高温に加熱され、加熱された空気がドラム内に流入して乾燥対象物を乾燥させる方式である。
【０００４】
凝縮式乾燥機の場合、凝縮器を通過する循環空気が外部空気と熱交換しながら凝縮水を発生させる。また、前記発生した凝縮水は凝縮水貯蔵タンクに貯蔵後、ポンプによって外部に排出したり、乾燥機内に装着された凝縮水貯蔵部に移動したりする。そして、前記凝縮水貯蔵部に凝縮水が満杯になった際には、使用者によって凝縮水が捨てられることになる。
【特許文献１】アメリカ特許第６,７６９,１９６号公報
【発明の開示】
【発明が解決しようとする課題】
【０００５】
従来の乾燥機に装着される凝縮水貯蔵部は、凝縮水が溢れることを使用者が予め認知できない場合、溢れた凝縮水が乾燥機の前方に流れることになる。そして、溢れた凝縮水は乾燥機の前面部に沿って流れて底部を濡らすという問題が発生する。
また、前記凝縮水貯蔵部に凝縮水が満杯になった場合、主婦や老弱者が持ち上げるのには重いことがあり、凝縮水貯蔵部の移動時に落下する恐れもある。よって、使用者が凝縮水貯蔵部を安全に把持し得る構造が必要とされる。
【０００６】
本発明は前記のような必要性及び問題点を解決するためになされたもので、その目的は、凝縮器を通過しながら発生する凝縮水を別に貯蔵でき、凝縮水が満杯になった場合、乾燥機から容易に取り出して捨てられる凝縮水貯蔵構造を備えた乾燥機を提供することにある。
また、本発明の目的は、前記凝縮水貯蔵構造に凝縮水が満杯になって溢れても、乾燥機の外部に凝縮水が漏洩されない乾燥機を提供することにある。
【課題を解決するための手段】
【０００７】
前記目的を達成するために、本発明に係る乾燥機は、外形をなすキャビネットと、前記キャビネット内に収容される乾燥ドラムと、凝縮水が発生する凝縮器と、前記凝縮機から発生された凝縮水が貯蔵されるサンプと、凝縮水が貯蔵される引出しと、前記引出しが収容されるディスペンサーと、フロントカバーの背面に一体形成され、前記フロントカバーと引出し体とを結合させる結合リブを含み、前記引出しは前面部をなすフロントカバーと、前記フロントカバーの後側に装着され、前記引出しの後面部をなす引出し体とを含み、前記引出しの外部に溢れる凝縮水が前記ディスペンサーの前方に流れるのを防止するために、引出し体の外周面に所定深さで陥没される引出し溝が形成され、前記引出し溝は前記引出し体の側面に形成される側面引出し溝と、前記引出し体の底面形成される底面引出し溝とを含む。
また、他の側面において、本発明に係る乾燥機は、前記引出しが、溢れる凝縮水を集めるために外周面に所定深さで陥没される溢れ制御部を更に含む。
また、他の側面において、本発明に係る乾燥機は、前記ディスペンサーの内壁には離隔リブが延長されることを含む。
【発明の効果】
【０００８】
本発明に係る凝縮水貯蔵構造を備えた乾燥機は、使用者が、洗濯物を乾燥する毎に凝縮水を排出させる必要がない。
また、引出しに凝縮水を貯蔵後、前記引出しに凝縮水が満杯になった時、一度に捨てればよいので、不要な労働を低減できる。
そして、凝縮水が満杯になった引出しを主婦や老弱者も容易にかつ安全に持ち上げられるため、運搬中に落下したり凝縮水が流れ出すのを防止できる。
【発明を実施するための最良の形態】
【０００９】
以下、図面に基づき、本発明の具体的な実施例を詳細に説明する。
本発明の思想は後述の実施例に制限されるものではなく、他の構成要素の追加や変更や削除などにより、他の発明や本発明の思想の範囲内に含まれる他の実施例を容易に制限することができる。
【００１０】
図１は本発明に係る凝縮水貯蔵構造を備えた乾燥機を示す断面図である。
図１を参照すると、本発明に係る凝縮水貯蔵構造を備えた乾燥機１０は、外観を形成するキャビネット１１と、前記キャビネット１１内に収容される円筒形状のドラム１２と、前記キャビネット１１の上部に置かれて前記乾燥機１０に落下する物体から保護するトッププレート２４と、前記キャビネット１１の前面上側から挿着され、乾燥過程で発生する凝縮水が貯蔵される引出し１００と、前記ドラム１２の開閉を調節するドア１３と、前記ドア１３の背面に装着されて前記ドラム１２から出る循環空気中に混合された異質物を一次フィルタリングするドアリントフィルタ２３と、前記ドラム１２の外周面に囲んで前記ドラム１２を回転させるベルト２２とを含む。
【００１１】
また、 本発明に係る凝縮水貯蔵構造を備えた乾燥機１０は、前記ベルト２２と連結してモータ１７の回転力を伝達するモータ軸２１と、前記モータ軸２１と連結して回転力を提供するモータ１７と、前記モータ軸２１に連結して前記モータ１７の回転力を受けて回転しながら室内空気を吸入する冷却ファン１６とを含む。
【００１２】
また、本発明に係る凝縮水貯蔵構造を備えた乾燥機１０は、前記冷却ファン１６の対向側に装着され、前記モータ軸２１に連結してドラム内の空気を循環させる乾燥ファン１８と、前記乾燥ファン１８により吸入された空気を前記ドラム１２に移動させる通路となり、内部に発熱部２０が装着された乾燥ダクト１９とを含む。
【００１３】
また、本発明に係る凝縮水貯蔵構造を備えた乾燥機１０は、前記ドアリントフィルタ２３の下側に形成され、前記ドアリントフィルタ２３を通過しながら一次フィルタリングした循環空気中の微細な毛羽などのような異質物を二次フィルタリングするボディーリントフィルタ１４と、前記ボディーリントフィルタ１４に入った空気を凝縮器(図示せず)に移動させる通路である循環ダクト１５とを含む。
【００１４】
以下、前記乾燥機の作動について説明する。
まず、前記乾燥機１０の電源が入れば、前記モータ１７が回転し、これと共に前記乾燥ダクト１９内に付着したヒータ２０が加熱される。そして、前記モータ軸２１に連結したベルト２２が回転しながら前記ドラム１２を回転させる。そして、前記ドラム１２の回転により、ドラム内の乾燥対象物は前記ドラムの内壁に沿って共に回転し、最上部に至ると、自重により落下する。ここで、前記乾燥対象物は前記ドラムの内壁に付着したリフト(図示せず)によって上昇する。
【００１５】
一方、前記モータ軸２１に連結した乾燥ファン１８がモータ１７の回転と連動して、前記循環ダクト１５に沿って移動して凝縮器(図示せず)を通過する循環空気を吸入する。そして、前記乾燥ファン１８によって吸入された循環空気は、前記乾燥ダクト１９に沿って上昇しながら前記発熱部２０を経て高温乾燥な状態になる。そして、高温乾燥な状態の循環空気は、前記ドラム１２内を通過しながら乾燥対象物に存在する水分を吸収して高温多湿な状態になる。
また、前記高温多湿な状態の空気は、さらに、前記ドアリントフィルタ２３とボディーリントフィルタ１４により異質物がフィルタリングされた後、前記循環ダクト１５に沿って前記凝縮器に移動する。
また、循環空気が前記のような経路を経て乾燥機１０内で循環する間、前記モータ軸２１に連結した冷却ファン１６が回転しながら、前記乾燥機１０の外部の室内空気を吸入する。そして、前記吸入した室内空気は冷却ファン１６を通じて前記凝縮器に移動する。
ここで、前記循環ダクト１５に沿って凝縮器に移動した高温多湿な状態の循環空気と、前記冷却ファン１６により吸入されて凝縮器に移動した室内空気とが交差しながら、前記凝縮器を通過する。そして、前記高温多湿な空気と前記室内空気は、前記凝縮器の形状によって互いに混合されることなく熱交換のみが行われることになる。
従って、前記高温多湿な状態の循環空気は、前記凝縮器を通過しながら前記室内空気に熱が奪われて、低温多湿な状態に変化する。そして、温度が低くなりながら循環空気中の水分が凝縮されて前記凝縮器の底部にたまることになる。また、前記凝縮器の底部にたまった凝縮水は、乾燥機１０ベース(図示せず)の一側に陥没形成された凝縮水貯蔵サンプ(図示せず)に移動される。そして、前記凝縮水貯蔵サンプに移動した凝縮水はポンプによりくみ上げられて前記引出し１００に移動する。
一方、前記凝縮器を通過する室内空気は、前記高温多湿な状態の循環空気から熱を伝達されて高温状態に変化する。
【００１６】
図２は本発明に係る凝縮水を貯蔵するための引出しを装着した乾燥機を概略的に示す部分斜視図である。
図２を参照すれば、本発明に係る凝縮水を貯蔵するための引出し１００は、乾燥機の上部の一側面に位置し、望ましくは、洗濯物が収容されるドラム１２とキャビネット１１との間の空間に位置する。そして、前記引出し１００は、前記引出し１００の上部を覆う引出し保護板１１０によって保護される。また、乾燥機１０の下側に位置した凝縮器で発生した凝縮水は、乾燥機１０の底面に位置した前記凝縮水貯蔵サンプに集まる。そして、前記サンプに集まった凝縮水はポンプによってくみ上げられる。そして、前記くみ上げられた凝縮水は前記引出し１００と前記サンプを連結する凝縮水配管４００に沿って前記引出し１００に移動する。
【００１７】
図３は本発明に係る凝縮水貯蔵引出しの正面斜視図、図４は前記引出しの底面斜視図、図５は前記引出しの端部に形成された溢れ制御部を示す拡大斜視図である。
図３乃至図５を参照すれば、本発明に係る凝縮水貯蔵引出し１００は、前面部を構成するフロントカバー１２０と、前記フロントカバー１２０の背面から長く形成され、内部に凝縮水貯蔵チャンバーを形成した引出し体１３０とを含む。
前記フロントカバー１２０は下側内に引出しのグリップ１２１が所定深さで凹んで形成される。そして、前記フロントカバー１２０は、背面から所定高さで突出される引出し体結合リブ１２２が付着され、前記引出し体結合リブ１２２内側に前記引出し体１３０が挿入される。
前記引出し体結合リブ１２２は、上部に突出するように曲げられたロッキングフック１５０が少なくとも一つ以上形成される。ここで、前記ロッキングフック１５０は、前記引出し１００が乾燥機に機密状態に閉められるように機能する。そして、前記引出し体１３０の上側部には、前記引出し１００の挿入時に乾燥機１０のトッププレート２４と干渉しないようにする押下突起１４０が少なくとも一つ以上形成される。
【００１８】
前記押下突起１４０は、所定角度で緩やかに斜めに突出したことにより、前記押下突起１４０が引出し挿入口の上側端にかからないようにして、前記引出し１００の挿入及び引出をスムーズにするのが望ましい。
【００１９】
また、前記ロッキングフック１５０は、弾性力を持つように両側に弾性溝１５１を形成する。よって、前記引出し１００の挿入時、前記トッププレート２４により押下げられた後、前記引出し１００が挿入済であれば、原位置に戻る。結果的に、前記ロッキングフック１５０は原位置に戻り前記引出し１００が挿入される挿入口(図示せず)の上側内面にかかる。従って、前記ロッキングフック１５０により、前記引出し１００は前記乾燥機１０が前方に傾いても容易に取り外れることが防止される。
【００２０】
また、前記押下突起１４０は、略中央部が突出した形状であるので、前記引出し１００の挿入及び引出の際、前記引出し１００が押下される。従って、前記フロントカバー１２０の上側面が前記トッププレート２４の下段部と干渉しないようになる。
ここで、前記押下突起１４０は、前記引出し体１３０の上側面の中央部あるいは両側面に位置することができるが、形成位置、形状及び個数については本発明の実施例に限定されるものではない。
【００２１】
また、前記引出し体１３０と前記フロントカバー１２０を結合するために、前記引出し体結合リブ１２２の周りに所定幅の大きさの結合溝１２３が少なくとも一つ以上形成される。また、前記引出し体結合リブ１２２に挿入される部分の引出し体１３０の外周面には、前記結合溝１２３に挿入するために突出した結合突起１３２が形成される。そして、前記結合突起１３２が前記結合溝１２３に挿入されることにより、前記引出し体１３０が前記フロントカバー１２０と分離しなくなる。
【００２２】
前記引出し体１３０の上側面の略端部には、前記凝縮水配管４００の一側端と連結する溢れ制御部１６０を形成する。そして、前記溢れ制御部１６０が具備される部分の側面に、垂直にグルーブ(ｇｒｏｏｖｅ)をなす側面引出し溝１７０を形成する。
詳しくは、前記溢れ制御部１６０は、前記凝縮水配管４００に沿って移動して落下する凝縮水を受ける凝縮水落下溝１６１と、前記引出し１００の内部に溢れる凝縮水を収容するための漏水貯蔵部１６２と、前記溢れた凝縮水がさらにサンプに戻るようにするサイフォン発生部１６３とを形成する。前記のような構成により、溢れる凝縮水は前記サイフォン発生部１６３に流れることになり、サイフォン原理によってサンプに戻ることになる。
サイフォン原理とは、高い方の額面に作用する大気圧により液体が管内にくみ上げられる現状をいうもので、前記原理を利用すれば、容器を傾けなくても高い所から低い所に管を通して液体を流すことができる。
【００２３】
前記溢れ制御部１６０の底面には、前記引出し体１３０を垂直に貫通するバイパスチューブ１６４が含まれる。そして、前記バイパスチューブ１６４を通して溢れた凝縮水がサンプに流れるようになる。
前記引出し体１３０の略中央部には、上側から下側に引出しチャンバー内部を貫通して形成した長孔と、底面から上側面に引出しチャンバー内部を貫通して形成した長孔とが交わるが、互に連絡しない構造をなす形状支持部１３１が具備される。
ここで、前記引出し体１３０を射出方式で製作する際、前記引出し体１３０の内部は中空部を形成するため、前記引出し体１３０の上側面と底面が下部に垂れるものとなる。よって、このような垂れを防止して、射出成形時に、前記引出し体１３０の形状を維持するために前記形状支持部１３１が形成される。
また、前記引出し体１３０の底面は曲面をなして形成される。詳しくは、前記引出し１００が前記ドラム３００の外周面の一側面に位置するので、前記ドラムの外周面の形状によって引出し１００の底面の形状が決定される。
また、前記引出し体１３０は、端部に前記凝縮水配管４００を収容するために、凹んだ形状をなす凝縮水配管収容曲面１６５が形成される。
【００２４】
図６は本発明に係る凝縮水貯蔵引出しの側面に形成される水流出防止構造を示す拡大斜視図、図７は前記引出しの底面に形成される水流出防止構造を示す拡大斜視図である。
図６及び図７を参照すれば、前記引出し１００内に凝縮水が満杯になれば、上述したように前記溢れ制御部１６０に具備された凝縮水落下溝１６１を通して凝縮水が溢れる。そして、前記溢れた凝縮水は、前記漏水貯蔵部１６２に溜まることになり、溜まった凝縮水はサイフォン発生部１６３の底面に形成された隙間に抜け出る。そして、前記隙間と連結したバイパスチューブ１６４を通してさらにサンプに戻ることになる。
しかしながら、前記漏水貯蔵部１６２を通してサンプに移動する凝縮水の量より、前記凝縮水落下溝１６１を通して溢れる凝縮水の量の方が多い場合、前記溢れた凝縮水は前記引出し体１３０の外壁に沿って流れることになる。
ここで、前記引出し体１３０は、前記引出し１００を収容するディスペンサー２００(図８参照)の内壁と接触するため、前記引出し体１３０の外周面と前記ディスペンサー２００の内周面に沿って引出し１００の前面部に流れるようになる。そして、引出し１００の前面部に流れる凝縮水は乾燥機１０の外部に漏洩されるという問題が発生する。
前記問題を解決するために水流出防止構造が具備される。
詳しくは、前記溢れ制御部１６０が具備される部分の側面に、垂直にグルーブをなす側面引出し溝１７０が形成される。よって、前記凝縮水落下溝１６１を通して溢れる凝縮水が前記引出し溝１７０に沿って流れ、前記ディスペンサー２００の底面に落下する。結果的に、前記引出し体１３０の外周面に沿って引出し１００の前面部に流れるのを防止できる。
【００２５】
また、前記バイパスチューブ１６４が形成される引出し１００の底面に、前記引出しの底面の曲面に沿って同じ方法により凹む底面引出し溝１８０が形成される。
詳しくは、前記溝１７０、１８０に沿って流れる凝縮水は、前記ディスペンサー２００の底面に集まる。そして、前記ディスペンサー２００の底面には凹みが形成され、前記凹みに配管(図示せず)が結合される。そして、前記配管はサンプと連結しており、溢れた凝縮水はさらにサンプに移動する。
【００２６】
図８は本発明に係る引出しが収容されるディスペンサーの側面図、図９は前記ディスペンサーの内部斜視図、図１０は前記ディスペンサーの内部に形成された引出し挿入感知突起を示す斜視図である。
図８乃至図１０を参照すれば、本発明に係るディスペンサー２００は、前記引出し１００が収容される収容部であって、上側部には内部に収容された引出し体１３０を保護するための引出し保護板１１０が具備される。そして、前記ディスペンサー２００の底面の略端部には所定深さで陥没したディスペンサー陥没部２１０が形成される。
前記ディスペンサー陥没部２１０の形成により、前記引出し１００から溢れる凝縮水が集まる。よって、溢れた凝縮水が前記引出し１００の底面に沿って引出し１００の前面部に流れて乾燥機の外部に漏洩するのが防止される。また、前記引出し１００の底面は前方から後方に行くほど下側に若干斜めに形成されることが望ましい。これは、前記溢れた凝縮水が前方に流れないようにするためである。そして、前記ディスペンサー陥没部２１０の底面一側には、前記ディスペンサー陥没部２１０に貯蔵された凝縮水が前記サンプに再流入するように、所定の直径を持って形成される凝縮水排出孔２６０が形成される。そして、前記サンプと前記凝縮水排出孔２６０は凝縮水配管(図示せず)によって連結する。
【００２７】
前記ディスペンサー２００の内部は、前記ドラム１２と接する部分の側壁２３２が前記ドラム１２の円周と同じ曲率で曲げて形成される。そして、前記ディスペンサー２００の反対の側壁２３０は、垂直に形成され、上側端には前記引出し保護板１１０を締結するための締結リブが具備される。
また、前記ディスペンサー２００の底面は、上述したように、後側に行くほど若干斜めに形成されるディスペンサー傾斜面２２０と、前記ディスペンサー傾斜面２２０の一定地点から後端部まで陥没されるディスペンサー陥没部２１０とからなる。
詳しくは、前記ディスペンサー陥没部２１０の底面には、前記引出し１００の挿入時、その挿入程度を感知するための引出し挿入感知突起２５０が突設される。そして、前記引出し挿入感知突起２５０は、前記ディスペンサー陥没部２１０の開始位置でのディスペンサー底面よりも若干高く突出される。よって、前記引出し１００が前記ディスペンサーの底面に沿って挿入されていて、前記引出し挿入感知突起２５０によってかかる。そして、使用者は、前記引出し１００が前記引出し挿入感知突起２５０にかかることを感知して、前記引出し１００がほとんど端部まで挿入されたと判断することになる。
【００２８】
前記引出し挿入感知突起２５０の全面部、即ち、前記引出し体１３０の後段と接触される面が斜めに形成されることにより、前記引出し１００が前記引出し挿入感知突起２５０の上部面までスムーズに押し上げるようにすることが望ましい。例えば、略台形の形状が可能であるが、前記引出し挿入感知突起２５０の形状は本発明の実施例に限定されるものではない。
また、前記ディスペンサー２００の後側壁には、前記凝縮水配管４００を収容する凝縮水配管収容部２４０が内側に突設される。前記凝縮水配管収容部２４０と干渉するのを防止するために、前記引出し１００の端部が陥没される凝縮水配管収容曲面１６５を形成する。
【００２９】
前記ディスペンサー側壁２３０、２３２は、前記引出しの外周面と接するので、前記引出し１００から溢れる凝縮水が前記壁面に沿って全面部に流れるという問題点を解決するために、前記側壁２３０、２３２には前後に長く形成した多数個の引出し離隔リブ２７９を形成することができる。
【００３０】
前記引出し離隔リブ２７０は、所定の高さを持って前後に長く形成することもでき、多数個の短いリブが一定の間隔をおいて形成することができる。そして、前記離隔リブ２７０が少なくとも一つ以上形成することができるのは、当業者の水準において明らかである。そして、前記離隔リブ２７０の開始部分はラウンドした曲面を形成することにより、前記引出し１００がスムーズに挿入されるようにするのが望ましい。ここで、前記引出し離隔リブ２７０の形成位置、形成個数及び長さは、本発明の実施例に限定されるものでなく、多様な個数と形状でも可能であるのは明らかである。
【図面の簡単な説明】
【００３１】
【図１】本発明に係る凝縮水貯蔵構造を備えた乾燥機を示す断面図である。
【図２】本発明に係る凝縮水を貯蔵するための引出しを装着した乾燥機を概略的に示す部分斜視図である。
【図３】本発明に係る凝縮水貯蔵引出しの正面斜視図である。
【図４】引出しの底面斜視図である。
【図５】引出しの端部に形成された溢れ制御部を示す拡大斜視図である。
【図６】本発明に係る凝縮水貯蔵引出しの側面に形成される水流出防止構造を示す拡大斜視図である。
【図７】引出しの底面に形成される水流出防止構造を示す拡大斜視図である。
【図８】本発明に係る引出しが収容されるディスペンサーの側面図である。
【図９】ディスペンサーの内部斜視図である。
【図１０】ディスペンサーの内部に形成された引出し挿入感知突起を示す斜視図である。
【符号の説明】
【００３２】
１００・・・引出し
１１・・・・キャビネット
１１０・・・保護板
１２・・・・ドラム
１２０・・・フロントカバー
１２１・・・グリップ
１２２・・・引出し体結合リブ
１２３・・・結合溝
１３０・・・引出し体
１３１・・・形状支持部
１３２・・・結合突起
１４０・・・押下突起
１５０・・・ロッキングフック
１５１・・・弾性溝
１６０・・・溢れ制御部
１６１・・・凝縮水落下溝
１６２・・・漏水貯蔵部
１６３・・・サイフォン発生部
１６４・・・バイパスチューブ
１６５・・・凝縮水配管収容曲面
１７０・・・側面引出し溝
１８０・・・溝
２００・・・ディスペンサー
２１０・・・ディスペンサー陥没部
２２・・・・ベルト
２２０・・・ディスペンサー傾斜面
２３０・・・側壁
２３２・・・側壁
２４０・・・凝縮水配管収容部
２５０・・・引出し挿入感知突起
２６０・・・凝縮水排出孔
２７０・・・離隔リブ
４００・・・凝縮水配水管
【図１】
0004656932.tif 000002
【図２】
0004656932.tif 000003
【図３】
0004656932.tif 000004
【図４】
0004656932.tif 000005
【図５】
0004656932.tif 000006
【図６】
0004656932.tif 000007
【図７】
0004656932.tif 000008
【図８】
0004656932.tif 000009
【図９】
0004656932.tif 000010
【図１０】
0004656932.tif 000011